(57)【特許請求の範囲】
【請求項１】
軸筒内に複数の筆記体を配設し、各筆記体の後部に連接した摺動体を、コイルスプリングにより軸筒後端方向に付勢して摺動溝に摺動自在に収納し、前記摺動体を軸筒先端方向にスライドすることにより、摺動体の後端部に形成した係合突起を軸筒に形成した係止部に係止して筆記体の突出を維持するスライド式の複合筆記具において、前記摺動体にクリップを一体に形成または固設し、前記クリップを一体に形成または固設した摺動体が、シャープペンシル体に連接してなり、前記シャープペンシル体の先端部が、軸筒の先端開口部から突出を維持した状態で、前記クリップの後端面を軸筒先端方向に押圧することにより、前記シャープペンシル体の鉛芯繰出機構を作動させて、鉛芯を繰り出し可能とするとともに、前記クリップの後端面は、前記クリップと一体、またはクリップ及びクリップを固設した摺動体によって、内外を連通する開口部のない後端面とし、前記クリップの後端面に凹凸部からなる滑り止め部を一体に設けるとともに、前記クリップの後端面が、前記シャープペンシルの先端部が軸筒内に没入及び前記シャープペンシルの先端部が軸筒から突出を維持した状態で、軸筒の軸心から前記クリップの天面に方向へ向かう垂線に対して、前記クリップの底面から天面方向に向かって前記クリップの先端側に傾斜し、且つ前記シャープペンシルの先端部が軸筒内に没入した状態で、前記クリップの後端面が、前記軸筒の軸心から前記クリップの天面に方向へ向かう垂線に対して１５度から６０度の一定の角度に傾斜するとともに、前記クリップの先端部の底面は、前記クリップに連動する筆記体の先端部が没入状態から前記先部材の先端開口部から突出を維持するまで、前記軸筒の外表面と離間してスライドすることを特徴とするスライド式の複合筆記具。
【請求項２】
前記凹凸部が、前記クリップの幅方向に延びる形状であり、クリップの後端面に複数個、形成したことを特徴とする請求項１に記載のスライド式の複合筆記具。
【請求項３】
前記クリップを一体に形成または固設した摺動体を付勢するコイルスプリングの取付荷重が、他のコイルスプリングの取付荷重よりも大きいことを特徴とする請求項１または２の何れか１項に記載のスライド式の複合筆記具。
【発明の詳細な説明】
【技術分野】
【０００１】
本発明は、軸筒内に複数の筆記体を配設してなるスライド式の複合筆記具に関する。
【背景技術】
【０００２】
従来のスライド式の複合筆記具は、特開２００５−１１１８７６号公報「筆記具」に開示してあるように、軸筒後端部内の摺動溝内に配設したコイルスプリングにより軸筒後端方向に付勢した一方の摺動体を、軸筒先端開口部方向にスライドすることにより摺動体の後端部に形成した係合突起を軸筒後端部内に形成した係止部に係止して、ボールペン体の筆記先端部を軸筒先端開口部から突出することができ、シャープペンシル体に連接した他方の摺動体を軸筒先端方向にスライドせしめることで、係止部に係止していた一方の係合突起を他方の解除突起が解除し、さらに他方の摺動体をスライドすることにより他方の係合突起が係止部に係止してシャープペンシル体の突出状態を維持することのできる、筆記先端部を選択して操り出し可能な繰り出し機構を有するともに、シャープペンシル体の突出状態を維持した状態で、シャープペンシル体に連接した摺動体をさらに軸筒先端方向に押圧することにより、シャープペンシル体の鉛芯繰出機構（図示せず）を作動させて鉛芯を繰出し可能な構造であり、摺動体にクリップを一体に形成した構造もよく知られている。
【特許文献１】特開２００５−１１１８７６号公報
【発明の開示】
【発明が解決しようとする課題】
【０００３】
ところで、前述したクリップが移動するタイプのスライド式の複合筆記具におけるクリップの操作方法は、軸筒を把持した状態で、軸筒の後端部の摺動溝から突出したクリップの後端面を指でスライドするように押圧する必要がある。そのため、軸筒の後端部に押圧部を有する回転カム式等のノック式筆記具と比較すると、軸筒の軸心に対して平行に押圧することが非常に困難であった。
【０００４】
また、クリップに連接した筆記体を突出するには、クリップを一体に形成または付設した摺動体の後端部に形成した係合突起が、軸筒後端部内に形成した係止部に係止する時に、クリップの後端側が沈み込む構造となっている。
【０００５】
しかしながら、特許文献１に開示されているクリップは、クリップの後端面が、軸筒の軸心から前記クリップの天面に方向へ向かう垂線上に延びているため、クリップの後端面に指を当接することが困難であるとともに、操作し難い問題があった。また、クリップの天面と後端面との交差する角部に指等が当接してしまうこともあり、操作性が悪くなるだけでなく、クリップを軸筒後端方向に付勢するコイルスプリングの押圧力を高めると指が痛くなる恐れもあった。
【０００６】
また、軸筒の軸心に対して垂直方向に延びているクリップの後端面を、軸筒の軸心に対して平行に押圧すると、クリップの後端側が沈み込まずに、クリップを一体に形成または付設した摺動体の後端部に形成した係合突起が、軸筒後端部内に形成した係止部に係止せずに、元に戻ってしまう不具合を生じる恐れがあった。
【０００７】
本発明の目的は、クリップの後端面を軸筒先端開口部方向に押圧し易く、且つクリップを一体に形成または付設した摺動体の後端部に形成した係合突起が、軸筒後端部内に形成した係止部に係止させやすい、スライド式の複合筆記具を簡単な構造で提供することである。
【課題を解決するための手段】
【０００８】
本発明は前記目的を達成するために、軸筒内に複数の筆記体を配設し、各筆記体の後部に連接した摺動体を、コイルスプリングにより軸筒後端方向に付勢して摺動溝に摺動自在に収納し、前記摺動体を軸筒先端方向にスライドすることにより、摺動体の後端部に形成した係合突起を軸筒に形成した係止部に係止して筆記体の突出を維持するスライド式の複合筆記具において、前記摺動体にクリップを一体に形成または固設し、前記クリップを一体に形成または固設した摺動体が、シャープペンシル体に連接してなり、前記シャープペンシル体の先端部が、軸筒の先端開口部から突出を維持した状態で、前記クリップの後端面を軸筒先端方向に押圧することにより、前記シャープペンシル体の鉛芯繰出機構を作動させて、鉛芯を繰り出し可能とするとともに、前記クリップの後端面は、前記クリップと一体、またはクリップ及びクリップを固設した摺動体によって、内外を連通する開口部のない後端面とし、前記クリップの後端面に凹凸部からなる滑り止め部を一体に設けるとともに、前記クリップの後端面が、前記シャープペンシルの先端部が軸筒内に没入及び前記シャープペンシルの先端部が軸筒から突出を維持した状態で、軸筒の軸心から前記クリップの天面に方向へ向かう垂線に対して、前記クリップの底面から天面方向に向かって前記クリップの先端側に傾斜し、且つ前記シャープペンシルの先端部が軸筒内に没入した状態で、前記クリップの後端面が、前記軸筒の軸心から前記クリップの天面に方向へ向かう垂線に対して１５度から６０度の一定の角度に傾斜するとともに、前記クリップの先端部の底面は、前記クリップに連動する筆記体の先端部が没入状態から前記先部材の先端開口部から突出を維持するまで、前記軸筒の外表面と離間してスライドすることを特徴とする。
【００１１】
さらにまた、前記凹凸部が、前記クリップの幅方向に延びる形状であり、クリップの後端面に複数個、形成したことを特徴とする。
【００１２】
さらにまた、前記クリップの先端部の底面が、前記クリップに連動する筆記体の先端部の没入状態から前記先部材の先端開口部から突出を維持するまで、前記軸筒の外表面と離間していることを特徴とする。
【００１４】
更にまた、前記クリップを一体に形成または付設した摺動体を付勢するコイルスプリングの取付荷重が、他のコイルスプリングの取付荷重よりも大きいことを特徴とする。
【００１５】
尚、本発明における鉛芯繰出機構とは、シャープペンシルにおいて一般的に知られているチャック等の鉛芯を繰り出す機構のことである。また、コイルスプリングの取付荷重とは、自由長から取付長にコイルスプリングを圧縮した時の弾発力を示すものである。
【発明の効果】
【００１６】
本発明は、前述した構成なので、クリップの後端面を軸筒先端開口部方向に押圧し易く、且つクリップを一体に形成または付設した摺動体の後端部に形成した係合突起が、軸筒後端部内に形成した係止部に係止させやすい、スライド式の複合筆記具を簡単な構造で提供することができた。
【発明を実施するための最良の形態】
【００１７】
以下、図面を参照して本発明の実施例を説明する。尚、図面中同じ部材、同じ部品については同じ番号を付してある。
【００１８】
実施例１
図１から図４に示す、スライド式の複合筆記具１は、前軸２と後軸３を螺着して軸筒本体を構成し、後軸３内に配設した摺動体５の隆起部及び摺動体６に連接したクリップ７を外部に露出して配設してある。各摺動体には、インキ色の異なるボールペン体８を３本及びシャープペンシル体９をコイルスプリング１２により後方に付勢させて摺動可能に連接してある、従来から知られている出没機構のスライド式の複合筆記具であり、後軸３の後端部には、消しゴム１０及び消しゴムキャップ１１を配設し、前軸２の把持部には、グリップ部材４を装着してある。
【００１９】
シャープペンシル体９の先端部９ａを前軸２の先端開口部２ａから出没させるには、クリップ７を前軸２の先端開口部２ａ方向へスライドすることにより、クリップ７に連接した摺動体６の係合突起６ａが後軸３内に形成した係止部３ａに係止して、シャープペンシル体９の筆記先端部９ａを前軸の先端開口部２ａから選択して突出を維持することができる。
【００２０】
尚、シャープペンシル体９の先端部９ａを突出する状態まで、クリップ７の先端部の底面７ｅは、後軸３の外表面とは非接触状態としてあるので、シャープペンシル体９の先端部９ａの突出操作をスムーズに行える。
【００２１】
シャープペンシル体９の先端部９ａが前軸の先端開口部２ａから突出を維持した状態で、さらにクリップ７を前軸の先端開口部２ａ方向にスライドすることにより、シャープペンシル体９の鉛芯繰出装置（図示せず）が作動して鉛芯を繰り出すことができる。
【００２２】
また、シャープペンシル体９の先端部９ａを前軸の先端開口部２ａから突出した状態で、摺動体５を前軸２の先端開口部２ａ方向にスライドすることで、摺動体６の係止を解除し、シャープペンシル体９の先端部９ａを軸筒２内に没入させることができる。さらに摺動体５を軸筒の先端開口部２ａ方向へスライドすることにより、ボールペン体８のチップ先端部８ａの突出状態を維持することができる。
【００２３】
クリップ７の後端面７ａは、図示のように、軸筒の軸心Ｊからクリップ７の天面７ｄに方向へ向かう垂線Ｋに対し、クリップ７の底面７ｅから天面７ｄ方向に向かって、クリップ７の先端７ｃ側に傾斜した形状に形成するとともに、クリップ７の後端面７ａに、クリップ７の幅方向に延びる凸部７ｂを併設した滑り止め部を設けてある。
【００２４】
クリップ７は、後端面７ａを傾斜状にすることで、図示はしていないが、軸筒の軸心Ｊからクリップ７の天面７ｄ方向への垂線Ｋ上に後端面７ａを形成する場合に比べ、軸筒本体を把持してクリップ７の後端面７ａをスライドする時に、指の腹がクリップ７の後端面７ａに当接し易く、スライド操作が容易になるとともに、後端面７ａに形成した凸部７ｂの滑り止め効果によって、相乗的に操作性が向上する。
【００２５】
特に、シャープペンシル体９の鉛芯繰出作動の時には、シャープペンシル体９を後方に付勢するコイルスプリング１２の付勢力と鉛芯繰出に必要な力の総和が必要となるため、本発明の効果は顕著である。
【００２６】
また、スライド式の複合筆記具においては、クリップ７を固設した摺動体６の後端部に形成した係合突起６ａが、後軸３内に形成した係止部３ａに係止する時に、クリップ７の後端面７ａを前軸２の先端開口部２ａ側に、軸筒本体の軸心Ｊに対し、平行にスライドするだけでなく、摺動体６の係合突起６ａが、軸心Ｊ側に沈み込みながら係止する。その結果、摺動体６に連接したクリップ７の後端部も軸心Ｊ側に沈み込むが、本発明は、クリップ７の後端面７ａを、軸筒の軸心Ｊからクリップ７の天面７ｄに方向へ向かう垂線Ｋに対し、クリップ７の底面７ｅから天面７ｄ方向に向かって、クリップ７の先端７ｃ側に傾斜しているため、クリップ７の後端面７ａを前軸２の先端開口部２ａ方向へスライドする押圧力は、クリップ７の後端面７ａが沈み込む方向（図３の矢印Ｆ方向）へ働いているため、容易に、且つ確実に係止することができる。
【００２７】
クリップ７の後端面７ａの傾斜角度αは、特に限定されるものではないが、軸筒本体の軸心Ｊからクリップ７の天面７ａに方向へ向かう垂線ｋに対して１５度より小さいと、操作性の向上が少なく、６０度を超えると、前軸２の先端開口部２ａ方向にスライドし難いので、１５度から６０度、好ましくは３０度から４５度傾斜させることが望ましい。
【００２８】
また、摺動体にクリップ７を設けると、筆記体の先端部が突出した状態の時や鉛芯繰出作動時等に、手や指がクリップ７の後端面７ａに当接して、クリップ７に連接した摺動体６の係合突起６ａが、後軸３の係止部３ａから外れる方向に力が働き易くなるが、クリップ７の後端面７ａを傾斜状に形成することで、手や指を当接した場合でも、クリップ７の後端面７ａが沈み込む方向（図３の矢印Ｆ方向）に力が働くため、係合突起６ａが係止部３ａから外れ難くすることができる。
【００２９】
また、クリップ７に連接した摺動体６の係合突起６ａが、後軸３の係止部３ａから簡単に外れないように、クリップ７に連接した摺動体６を付勢するコイルスプリング１２の取付荷重を、他のコイルスプリングの取付荷重よりも大きくして、摺動体６を後方へ付勢する力を高めることが好ましい。
【００３０】
クリップの後端面に形成する滑り止め部は、弾性体やシール等を装着してあってもよいが、後端面と一体に凹凸部を設けることが製造上及びコスト面において最も好ましい。尚、凹凸部の形状及び大きさは、特に限定されるものではないが、クリップの後端面を軸筒先端方向にスライドさせることを考慮して、スライドする方向に直交する方向となる、クリップの幅方向に延びる形状が最も好ましい。
【００３１】
本実施例では、便宜上、摺動体にクリップを付設しているが、摺動体とクリップとの連接構造は特に限定されるものではなく、一体に形成してもよい。また、筆記体と摺動体との連接構造も特に限定されるものではない。
【産業上の利用可能性】
【００３２】
本発明のスライド式の複合筆記具は、前述したシャープペンシル体を１本とボールペン体を３本の複合筆記具に限定されるものではなく、複数本の筆記体を収納した筆記具として幅広く用いることができる。
【図面の簡単な説明】
【００３３】
【図１】実施例１のスライド式の複合筆記具を示す縦断面図である。
【図２】図１におけるシャープペンシル体の筆記先端部を繰り出した状態を示す縦断面図である。
【図３】図１におけるクリップの拡大断面図である。
【図４】図１におけるクリップ側から見た外観図である。
【符号の説明】
【００３４】
１  スライド式の複合筆記具
２  前軸
２ａ  先端開口部
３  後軸
３ａ  係止部
４  グリップ
５  摺動体
６  摺動体
６ａ  係合突起
７  クリップ
７ａ  後端面
７ｂ  凸部
７ｃ  先端面
７ｄ  天面
７ｅ  底面
８  ボールペン体
８ａ  チップ先端部
９  シャープペンシル体
９ａ  先端部
１０  消しゴム
１１  消しゴムキャップ
１２  コイルスプリング
Ｊ  軸心
Ｋ  軸心に対する垂線
α  傾斜角度
【図１】
0005279297.tif 000002
【図２】
0005279297.tif 000003
【図３】
0005279297.tif 000004
【図４】
0005279297.tif 000005